(57)【特許請求の範囲】
【請求項１】
事例提供者の年収に関する情報と、事例提供者の人生における複数の期について該期に事例提供者がどのような生活を送ったかに関する情報とを関連づけて持つ事例テーブルを参照可能なコンピュータを、
被験者から人生における期と該期にどのような生活を送ったかに関する情報を受け付ける回答受付手段と、
前記回答受付手段で受け付けた人生における期と該期にどのような生活を送ったかに関する情報をもとに前記事例テーブルを参照して、該期と同一の期に事例提供者がどのような生活を送ったかに関する情報と該期に被験者がどのような生活を送ったかに関する情報との相違が所定の閾値以下の複数の事例提供者について該期以降の期にどのような生活を送ったかに関する情報と年収に関する情報とを抽出する事例抽出手段と、
前記事例抽出手段で抽出した複数の事例提供者の年収に関する情報を比べて、年収の高い事例提供者が該期以降の期にどのような生活を送ったかに関する情報を抽出して、良い生き方として出力する生き方抽出手段と、
して機能させることを特徴とする生き方呈示プログラム。
【請求項２】
前記生き方抽出手段を、前記事例抽出手段で抽出した複数の事例提供者の年収に関する情報を比べて、年収の低い事例提供者が該期以降の期にどのような生活を送ったかに関する情報を抽出して、悪い生き方として出力するように機能させる、
ことを特徴とする請求項１に記載の生き方呈示プログラム。
【請求項３】
事例提供者の年収に関する情報と、事例提供者の人生における複数の期について該期に事例提供者がどのような生活を送ったかに関する情報とを関連づけて持つ事例テーブルを参照可能なコンピュータを用いて実行する生き方呈示方法であって、
前記コンピュータの回答受付手段が、被験者から人生における期と該期にどのような生活を送ったかに関する情報を受け付ける回答受付ステップ、
前記コンピュータの事例抽出手段が、前記回答受付ステップで受け付けた人生における期と該期にどのような生活を送ったかに関する情報をもとに前記事例テーブルを参照して、該期と同一の期に事例提供者がどのような生活を送ったかに関する情報と該期に被験者がどのような生活を送ったかに関する情報との相違が所定の閾値以下の複数の事例提供者について該期以降の期にどのような生活を送ったかに関する情報と年収に関する情報とを抽出する事例抽出ステップ、
前記コンピュータの生き方抽出手段が、前記事例抽出ステップで抽出した複数の事例提供者の年収に関する情報を比べて、年収の高い事例提供者が該期以降の期にどのような生活を送ったかに関する情報を抽出して、良い生き方として出力する生き方抽出ステップ、
を有することを特徴とする生き方呈示方法。
【請求項４】
前記生き方抽出ステップで、前記事例抽出ステップで抽出した複数の事例提供者の年収に関する情報を比べて、年収の低い事例提供者が該期以降の期にどのような生活を送ったかに関する情報を抽出して、悪い生き方として出力すること、
を特徴とする請求項３に記載の生き方呈示方法。
【発明の詳細な説明】
【０００１】
【発明が属する技術分野】
本発明は生き方呈示方法及びプログラム及び記録媒体に関する。
【０００２】
【従来の技術】
過去の偉人の事例などをもとに、生き方を呈示するということが書籍あるいは講演などにおいて行われている。 しかしそれらの過去の事例は、史料などを元に人が主観で判断を行って導き出すしかなかった。また、呈示を受ける側では、著者あるいは講演者が史料から主観で導き出した過去の偉人という自分の現状と乖離した生き方をしていた者を、生き方の指標として呈示されても説得力を感じることはできなかった。
【０００３】
【発明が解決しようとする課題】
呈示を受ける側に近似の行き方をした者を抽出し、その者の生き方により説得力のある生き方を呈示することを目的とするものである。
【０００４】
【課題を解決するための手段】
コンピュータが、被験者から過去の生き方に関する生き方情報を得る生き方情報取得ステップと、前記生き方情報をもとに、複数の生き方の事例情報から、前記被験者の現在の時代までの期間を類似の生き方をした者の事例情報を検出する検出ステップと、前記検出ステップで検出された生き方の事例情報の提供者が、前記生き方の事例情報から前記被験者の現在の時代以降にどのような生き方をしたかを検出し、被験者の行く末を判断する判断ステップと、前記判断ステップで推測された結果を被験者に通知するステップとを持つことを特徴とする生き方呈示方法によって解決される。
【０００５】
【発明の実施の形態】
本発明の実施の一例を 図１から図１５に示す。
【０００６】
利用者の端末１００は、プログラム及びデータを格納するメモリと、メモリ上のプログラムを実行するプロセッサと、入力装置１０１と、出力装置１０３とを有し、生き方呈示装置３００と接続可能なように構成する。
【０００７】
生き方呈示装置３００は、プログラム及びデータを格納するメモリと、メモリ上のプログラムを実行するプロセッサを有し、生き方呈示プログラム４００と、過去の生き方に対する質問を持つ前提質問ファイル５００と、前提質問５００に対する複数の事例提供者からの回答をもつ事例ファイル５１０と、被験者の前提質問に対する回答を格納する回答ファイル５２０とを持つように構成する。
【０００８】
生き方呈示プログラムは、事例ファイル作成ステップと、生き方呈示ステップを持つように構成する。
【０００９】
前提質問ファイル５００は、図８および図９に示すように、中学生であった時代、あるいは高校生であった時代などように、人生の区切りごとに区切った時代ごとに、その時代においてどのような人生を過ごしたかに関する前提質問５０１を持つように構成する。
【００１０】
事例ファイル５１０は、図１０に示すように、被験者に行き方を呈示する事例提供者５１１と、事例提供者が前提質問に答えた回答５１２と、その回答した生き方により事例提供者がどのような状況になったかに関する情報である結果情報５１３を持つように構成する。図１０は、事例提供者である「Ａ」さんと「Ｂ」さんと「Ｃ」さんと「Ｄ」さんが、各々大学時代までの前提質問に回答し、その回答による生き方で、その後の年代ごとに人生がどのように推移したかを年収で回答している例を示している。
【００１１】
回答ファイル５２０は、図1１に示すように、被験者の現在の時代までの前提質問に対する回答５２１を持つように構成する。図１１は、被験者である高校生になった「Ｅ」さんが、中学時代までにどのような生き方をしてきたかという前提質問に対して回答した例を示している。
【００１２】
ここでは、実施の一例として、事例ファイル作成ステップにおいて事例ファイルを作成し、生き方呈示ステップにおいて被験者の回答と作成された事例ファイルとを参照して生き方の呈示を行う場合をもって説明を行う。 なお、ここでは人生の良し悪しを判別する方法の一例として年収の多寡を用いるものとする。また、事例提供者と被験者とが同一の端末１００を用いている例で説明を行うが、各々が異なった端末装置を用いるようにしても良い。
【００１３】
まず、事例ファイル作成ステップについて説明を行う。
【００１４】
前提質問ファイルが持つどの時代の質問を事例提供者に質問するかを決定する。
【００１５】
例えば、前提質問が、中学時代に関する質問５０１と高校時代に関する質問５０２と大学時代に関する質問５０３とから構成されている場合、最初は一番若い中学時代の質問５０１を事例提供者に聞くと決定する。（ステップＳｌ）
ステップＳ１で決定された時代の質問を利用者の端末の出力装置１０３に出力する。例えば、中学時代５０１からの最初の質問であれば、Ｑ１の「生徒会役員をした（Ｙ／Ｎ）」が利用者の端末の出力装置１０３に出力される。（ステップＳ２）
利用者の端末の入力装置１０１から、ステップＳ２で出された質問に対する事例提供者の回答を受け付け、事例ファイル５１０に格納する。例えば、ステップＳ２の例の場合、事例提供者が生徒会役員の経験があれば、「Ｙ」が入力され、事例ファイル５１０の事例提供者に該当する、中学時代のＱ１の回答を格納する領域に「Ｙ」が格納される。（ステップＳ３）
当該時代の質問がなくなるまでステップＳ２からステップＳ３の処理を繰り返す。例えば、例えば前提質問ファイルの中学時代５０１の場合、Ｑｌ からＱ１４までの質問について、ステップＳ２からステップＳ３の処理を繰り返す。（ステップＳ４）
事例提供者の現在の時代に該当する前提質問ファイルの質問が完了するまで、ステップＳ１からステップＳ４の処理を繰り返す。例えば被験者が今現在大学生であれば，前提質問ファイルの中学時代５０１から高校時代５０３までが持つ質問についてステップＳｌからステップＳ４までの処理を繰り返す。（ステップＳ５）
事例提供者同士で現況が比較可能な情報を受け付け、事例ファイル５１０の格納場所５１１に格納する。本例では人生の良し悪しを年収の多寡によって判断するので、事例提供者から年収に関する情報を受け取り、 事例ファイル５１０の格納場所５１２に格納する。この際、図１０に示すように事例提供者の各年齢時における年収を持つようにしてもよい。（ステップＳ６）
複数の事例提供者に対してステップＳ１からステップＳ６の処理を繰り返すことにより、複数の事例提供者の事例を事例ファイル５１０に収集する。
【００１６】
ついで、生き方呈示ステップについて説明を行う。
【００１７】
まず被験者に対して現在の時代までの行き方に関する質問を行う、回答処理を行う。（ステップＳ１１）
回答処理についての説明を行う。
【００１８】
前提質問ファイル５００が持つどの時代の質問を裏例提供者に質問するかを決定する。例えば、前提質問ファイルが、中学時代５０１と高校時代５０２と大学時代５０３からなっていた場合、最初は一番若い中学時代５０１の質問を事例提供者に聞く質問と決定する。（ステップＳ１１１）
ステップＳｌ１１で決定された時代の質問を利用者の端末の出力装置１０３に出力する。例えば、中学時代５０１からの最初の質問であれば、Ｑ１の「生徒会役員をした（Ｙ／Ｎ）」が利用者の端末の出力装置１０３に出力される。（ステップＳ１１２）
ステップＳ１１２で出された質問に対する被験者からの回答を、利用者の端末の入力装置１０１から受け付け、回答ファイル５２０に格納する。例えば、ステップＳ２の例の場合、事例提供者が生徒会役員の経験があれば、「Ｙ」が入力され、 事例ファイル５２０の、中学時代のＱ１の回答を格納する領域に「Ｙ」が格納される。（ステップＳ１１３）
当該時代の質問がなくなるまでステップＳ１１２からステップＳ１１３の処理を繰り返す。例えば前提質問ファイルの中学時代５０１の場合、ＱｌからＱ１４までの質問について、ステップＳ１１２からステップＳ１１３の処理を繰り返す。（ステップＳ１１４）
被験者の現在の時代に該当するまで、ステップＳ１１１からステップＳ１１４の処理を繰り返す。例えば被験者の現在の時代が大学生であれば、前提質問ファイルの中学時代５０１から高校生時代５０２までが持つ質問が全て済むまでステップＳ１１１からステップＳ１１４までの処理を繰り返す。（ステップＳ１１５）
被験者の回答と事例提供者の回答から、被験者の類似の行き方をおくっていた事例提供者を求める類似事例検索処理を行う。（ステップＳ１２）
類似事例検索処理についての説明を行う。
【００１９】
回答ファイル５２０から、ステップＳ１１の回答処理で作成した被験者の回答を読み込む。（ステップＳ１２１）
回答処理（ステップＳ１１）で作成した事例ファイル５１０から１人分の事例提供者の回答を読み込む。（ステップＳ１２２）
ステップＳ１２１で読み込んだ被験者の回答と、ステップＳ１２２で読み込んだ事例提供者の回答とを、ステップＳ１２１で読み込んだ被験者の回答の時代までについて比較を行う。例えば被験者の回答が図１１で示すように中学時代までである場合、被験者の回答と事例提供者の回答を、中学時代までで比較を行う。（ステップＳ１２３）
ステップＳ１２３で検出された回答の差異が、予め定めた閥値の値よりも少ないか否かについて判定を行う。（ステップＳ１２４）
ステップＳ１２４で、回答の差異が閾値よりも少ないと判断した場合は、
ステップＳｌ２２で読み込んだ事例提供者の回答を一時近似ファイル５３０に格納する。（ステップＳ１２５）
事例ファイル５１０に登録されている事例提供者の回答がなくなるまで、ステップＳｌ２２からステップＳ１２５の処理を繰り返す。（ステップＳ１２６）
被験者の似た生き方をしていた人が、その後生き方の際にからどのような人生となったかを、生き方の違いのポイントと共に示す、生き方事例呈示処理を行う.。（ステップＳ１３）
生き方事例呈示処理についての説明を行う。
【００２０】
ステップＳ１２５で作成した一時近似事例ファイルから現況の最も優れた事例提供者の情報を抽出する。現況の優劣を、例えば年収の多寡によって判断する場合は最も年収の高いものを抽出する。例えば一時近似事例ファイルが図１２で示すような場合、「Ａ」さんと「Ｂ」さんと「Ｄ」さんの中から、もっとも年収の多い「Ａ」さんを抽出する。（ステップＳ１３１）
ステップＳ１２５で作成した一時近似事例ファイルから現況の最も劣った事例提供者の情報を抽出する。現況の優劣を、例えば年収の多寡によって判断する場合は最も年収の低いものを抽出する。例えば一時近似事例ファイルが図１ ２で示すような場合、「Ａ」さんと「Ｂ」さんと「Ｄ」さんの中から、もっとも年収の少ない「Ｄ」さんを抽出する。（ステップＳ１３２）
ステップＳ１３１とステップＳ１３２で求めた事例提供者に関して、ステップＳ１２１で読み込んだデータが持つ時代以降の生き方の差が、所定の閾値以内であるか否かを確認する。ステップＳ１３１とステップＳ１３２で「Ａ」さんと「Ｄ」さんが抽出された場合、「Ａ」さんと「Ｄ」さんの生き方が、被験者の「Ｅ」さんの現在の時代以降で、どれだけ違うかを確認する。(ステップＳ１３３)
ステップＳ１３３において求めた差が所定の閑値以内であった場合、その差となる生き方と、現況の格差を、被験者の端末の出力装置１０３に出力する。たとえば、図１２の「Ａ」さんと「Ｄ」さんの場合、被験者の「Ｅ」さんの時代、中学時代以降の生き方について生き方の差が大学時代のＱ４の質問に関する部位だけであることから、例えば図１５に示すような画面を表示することによって生き方の呈示を行う。ここで差が所定の閥値以内に収まるか否かを確認しているのは、差異が多すぎる場合に呈示するポイントが希薄化するのを防止するものであり、希薄化が問題にならないような場合には、削除しても問題はない。なお、図１５の画面例は事例提供者の名前を匿名で表示している。（ステップＳ１３４）
もし、ステップＳ１３３において求めた差が所定の閾値以上であった場合は、ステップＳ１３２に遷移し、現在読み込んでいる現況の劣った事例提供者の次に現況の劣る事例提供者に関する情報を抽出する。例えば図１２の場合、「Ｄ」さんのかわりに「Ｂ」さんの情報が読み込まれる。生き方の事例の呈示が行える事例が出現するか、ステップＳｌ３２で読み込む事例提供者がステップＳ１３１で読み込んだ事例提供者と同じになるまでステップＳ１３２からステップＳ１３５までの処理を繰り返す。（ステップＳ１３５）
もしステップＳ１３５において、ステップＳ１３１で読み込んだ事例提供者以外の全ての事例提供者が読み込まれた場合は、ステップＳ１３１に遷移し、現在読み込んでいる現況の優れた事例提供者の次に現況の優れた事例提供者に関する情報を抽出する。例えば図１２の場合、ステップＳ１３１に遷移し「Ａ」さんのかわりに「Ｂ」さんの情報を読み込む。生き方の事例の呈示が行える事例が出現するか、全ての事例提供者を読み込むまでステップＳ１３２からステップ１３５の処理を繰り返す。（ステップ１３６）
上記以外に、生き方事例呈示処理として差異の事例につき相関する項目を確認する方法が考えられる。この場合の生き方事例呈示処理について図７と図１３と図１４とを用いて説明を行う。 前提質問ファイル５００が持つ質問については図１３で示すように質問に相関のある過去の時代の質問に関する情報を持つように構成する。 図７で示すフローのうちステップＳ１４１からステップ１４３については、図６に示したステップＳ１３１からステップＳ１３３の処理と同様の処理であるため、説明は省略する。同様にステップＳ１４５からステップＳ１４７につおいては図６に示したステップＳ１３４からステップＳ１３６の処理と同様の処理であるため、説明は省略する。相違部位である、ステップＳ１４１について説明を行う。 他の部位については前述のステップＳ１３１からステップＳ１３５
のとおりである。
【００２１】
ステップＳ１４１で図１４の事例提供者Ａが、ステップＳ１４２で図１４の事例提供者Ｂが選ばれ、ステップＳ１４３でＡとＢの相違が大学時代のＱ４に関する質問への回答だけで閥値を通過した場合、ステップＳ１４４において、ステップＳ１４３の相違個所とされた該大学時代のＱ４と相関関係にある高校時代のＱ４につき被験者の回答について確認を行う。 図１４の例では、被験者は高校時代のＱ４の回答において、事例提供者Ａと、事例提供者Ｂとも相違しているため、被験者Ｅに対しては、新たな事例提供者の組み合わせの中から、別の生き方を呈示するようにステップ１４６に遷移する。これは、事例提供者のＡとＢが大学時代のＱ４「語学留学」の有無によりその後の人生において年収に差が生じたことから、被験者のＥに対して大学時代での語学留学を薦めたとしても、Ｅが高校時代のＱ４において回答しているように高校時代に英語の勉強をしていなければ、語学留学の効果が余り望めないことから、別の生き方を呈示するようにするものである。
【００２２】
以下に付記する。
【００２３】
（付記１）生き方呈示方法であってコンピュータが、
被験者から過去の生き方に関する生き方情報を得る生き方情報取得ステップと、
前記生き方情報をもとに、複数の生き方の事例情報から、前記被験者の現在の時代までの期間を類似の生き方をした者の事例情報を検出する検出ステップと、
前記検出ステップで検出された生き方の事例情報の提供者が、前記生き方の事例情報から前記被験者の現在の時代以降にどのような生き方をしたかを検出し、被験者の行く末を判断する判断ステップと、
前記判断ステップで推測された結果を被験者に通知するステップと、
を持つことを特徴とする生き方呈示方法。
【００２４】
（付記２）前記生き方呈示方法であって、
前記検出ステップは、前記被験者の現在の時代までの生き方で類似し、以降の生き方では差異のある複数の前記生き方の情報事例を検出すること、
を特徴とする付記１記載の行き方呈示方法。
【００２５】
（付記３） 前記生き方呈示方法であって、
前記判断ステップは、前記以降の生き方では差異のある生き方の情報事例から、被験者が現在の時代以降の行き方によって、どのような行く末をたどるかを判断すること、
を特徴とする付記２記載の行き方呈示方法。
【００２６】
（付記４）前記生き方呈示方法であって、
前記以降の生き方では差異のある生き方の情報事例における差異の部分が、前記検出ステップにおける類似の判定において差異となった部分と相関がある場合に、前記検出ステップでの類似の判定を無効と判断する無効判定ステップを
有することを特徴とする付記１乃至付記３記載の行き方呈示方法。
（付記５）前記生き方呈示方法であって、
前記生き方情報取得ステップが、時代で区切られた質問に対して、被験者が回答した内容から生き方情報を得え、
前記検出ステップが、時代で区切られた質問に対して生き方の事例情報の提供者が回答した内容と、前記生き方情報とを比較することで類似の生き方をした者の事例情報を検出すること、
を特徴とする付記１乃至付記４記載の行き方呈示方法。
【００２７】
（付記６） 生き方呈示するためのプログラムであって、
被験者から過去の生き方に関する生き方情報を得る生き方情報取得ステップと、
前記生き方情報をもとに、複数の生き方の事例情報から、前記被験者の現在の時代までの期間を類似の生き方をした者の事例情報を検出する検出ステップと、
前記検出ステップで検出された生き方の事例情報の提供者が、前記生き方の事例情報から前記被験者の現在の時代以降にどのような生き方をしたかを検出し、被験者の行く末を判断する判断ステップと、
前記判断ステップで推測された結果を被験者に通知するステップと、
を実行させるためのプログラム。
【００２８】
（付記７）生き方呈示するためのプログラムを格納した媒体であって、
被験者から過去の生き方に関する生き方情報を得る生き方情報取得ステップと、
前記生き方情報をもとに、複数の生き方の事例情報から、前記被験者の現在の時代までの期間を類似の生き方をした者の事例情報を検出する検出ステップと、
前記検出ステップで検出された生き方の事例情報の提供者が、前記生き方の事例情報から前記被験者の現在の時代以降にどのような生き方をしたかを検出し、被験者の行く末を判断する判断ステップと、
前記判断ステップで推測された結果を被験者に通知するステップと、
を実行させるためのプログラムを記録したコンピュータ読み取り可能な記録媒体。
【００２９】
（付記８）生き方呈示する装置であって、
被験者から過去の生き方に関する生き方情報を得る生き方情報取得手段と、
前記生き方情報をもとに、複数の生き方の事例情報から、前記被験者の現在の時代までの期間を類似の生き方をした者の事例情報を検出する検出手段と、
前記検出手段で検出された生き方の事例情報の提供者が、前記生き方の事例情報から前記被験者の現在の時代以降にどのような生き方をしたかを検出し、被験者の行く末を判断する判断手段と、
前記判断手段で推測された結果を被験者に通知する手段と、
を持つことを特徴とする生き方呈示する装置。
【００３０】
【発明の効果】
本発明により、呈示を受ける者と類似の行き方をしてきたものが、その後の身の振り方によりどのような人生を送ったかを実経験から呈示することにより、より説得力のある生き方を呈示するという効果をもたらすことができる。
【００３１】
また、呈示に際して被験者と事例提供者の差異に当たる部分と呈示をする生き方との相関を確認することにより、呈示する生き方が差異にあたる部分にあたらないようにすることができる。
【図面の簡単な説明】
【図１】原理を示す図
【図２】処理の流れを示す図（１）
【図３】処理の流れを示す図（２）
【図４】処理の流れを示す図（３）
【図５】処理の流れを示す図（４）
【図６】処理の流れを示す図（５）
【図７】処理の流れを示す図（６）
【図８】前提質問ファイルを示す図（１）
【図９】前提質問ファイルを示す図（２）
【図１０】 事例ファイルを示す図
【図１１】回答ファイルを示す図
【図１２】一時近似事例ファイルを示す図
【図１３】前提質問ファイルを示す図（３）
【図１４】差異の事例につき相関する項目を確認することを示す図
【図１５】生き方呈示の画面出力の一例を示す図
【符号の説明】
１００  利用者の端末
１１０  入力装置
１２０  出力装置
３００  生き方呈示システム
４００  生き方呈示プログラム
５００  前提質問ファイル
５１０  事,例ファイル
５２０  回答ファイル
【図１】
0003975771.tif 000002
【図２】
0003975771.tif 000003
【図３】
0003975771.tif 000004
【図４】
0003975771.tif 000005
【図５】
0003975771.tif 000006
【図６】
0003975771.tif 000007
【図７】
0003975771.tif 000008
【図８】
0003975771.tif 000009
【図９】
0003975771.tif 000010
【図１０】
0003975771.tif 000011
【図１１】
0003975771.tif 000012
【図１２】
0003975771.tif 000013
【図１３】
0003975771.tif 000014
【図１４】
0003975771.tif 000015
【図１５】
0003975771.tif 000016